(57)【特許請求の範囲】
【請求項１】
受板と押板を湾曲部を介して一体に形成し、受板上に支持板を立設し、受板と押板が相互に対向する部分に、チューブを挟圧するチューブ挟圧手段を設け、支持板に対応して押板に、支持板上半部が緩挿される支持孔を設け、支持板上半部が支持孔に係脱することで、支持板に対し押板を係脱自在に支持し、該支持板上半部の基部に、押板の閉じ位置を規制する段部を設けたことを特徴とする、チューブクリップ。
【請求項２】
該支持孔縁に係脱する係止爪を支持板上半部の前面に設けることを特徴とする、請求項１記載のチューブクリップ。
【請求項３】
支持板上半部、押板端部及び受板端部にそれぞれ摘み部を形成し、支持板上半部の摘み部は、クリップが開いている状態で、支持板上半部の端部を前傾く字状に屈曲させてなり、押板端部の摘み部は、クリップが閉じている状態で、支持孔から押板端まで押板端部を上向きに傾斜させてなることを特徴とする、請求項１又は２に記載のチューブクリップ。
【請求項４】
該支持板と該湾曲部に、それぞれチューブが緩挿されるチューブ通穴を設け、支持板と湾曲部との間にあって、受板と押板が相互に対向する部分に、該チューブ挟圧手段を設けたことを特徴とする、請求項１乃至３のいずれか一の項に記載のチューブクリップ。
【請求項５】
クリップ全体を合成樹脂材等の剛性材料で一体成形し、湾曲部のチューブ通穴を横切って湾曲部に薄肉部を設け、該薄肉部に押板を開き方向に開拡する習性を付与したことを特徴とする、請求項４記載のチューブクリップ。
【請求項６】
チューブ挟圧手段を、受板にチューブを横切る方向に近接して設けた２つの突起と、この２つの突起に対応し、両突起間に先端を臨ませて押板に設けた突起で構成したことを特徴とする、請求項１乃至５のいずれか一の項に記載のチューブクリップ。
【発明の詳細な説明】
【０００１】
【発明の属する技術分野】
本発明は、チューブクリップ（チューブクランプ）に関するものであり、更に詳しくは、薬液等の流体が流動するチューブに装着してチューブ内を流動する流体の流れを一時的に阻止するチューブクリップに関するものである。
【０００２】
【従来の技術】
従来より、医療用の薬液等の流体がチューブ内を流動するのを一時的に阻止するチューブクリップとしては、すでに多種多様のものが使用されている。
【０００３】
この種のチューブクリップの中で、合成樹脂材で一体成形された構造的に簡素なものの１つとして、ループ状の湾曲部を介して屈曲自在な一対のクリップアームを構成し、両クリップアームが相互に対向する部分に、それぞれ湾曲部から先端部まで押え突条を延設し、この押え突条を横断する状態で配置されるチューブを両方の押え突条間で挟圧し、このチューブ挟圧状態を支持するために、両方のクリップアームの端部に、相互に係合可能な係合爪からなる係合部を設けたものがある。
【０００４】
また、このようなチューブクリップで、両方の押え突条間でチューブを挟圧するのに、両方の押え突条がチューブの横断方向に位置ずれを生じさせないようにするための配慮から、一方の押え突条のチューブ接触面を他方の押え突条のチューブ接触面より幅広平面状に設定した構成のものもある。（実公平５−３８２３号公報参照）
【０００５】
【発明が解決しようとする課題】
ところで、上記するような従来のチューブクリップは、これが使用されない状態では、チューブから離れて適宜の場所に置かれ、使用するときに使用者によってチューブのところへ持ちだして使用されるため、手早くチューブの挟圧と開放を繰り返すような使用には、取り扱いが煩雑になる面がある。
【０００６】
そこで、本発明の課題は、チューブに対し脱着式にチューブの任意箇所に装着した状態におき、指先による摘み操作だけでワンタッチ式にチューブの挟圧と開放を可能にし、その使用を便利にしたチューブクリップを提供することを目的としたものである。
【０００７】
【課題を解決するための手段】
上記目的を達成するために、本発明のうち請求項１記載の発明は、受板と押板を湾曲部を介して一体に形成し、受板上に支持板を立設し、受板と押板が相互に対向する部分に、チューブを挟圧するチューブ挟圧手段を設け、支持板に対し押板を係脱自在に支持することを特徴とする。また、請求項２記載の発明のように、該支持板と該湾曲部に、それぞれチューブが緩挿されるチューブ通穴を設け、支持板と湾曲部との間にあって、受板と押板が相互に対向する部分に、該チューブ挟圧手段を設けてもよい。
【０００８】
ここで、押板端部が支持板上方に離れて押板が開き位置にある状態で、支持板のチューブ通穴と湾曲部のチューブ通穴にチューブが挿通される。この状態でチューブはほぼ直状になり、チューブはその挟圧手段から開放されてチューブ内を流体が流動する。
【０００９】
チューブ内の流体の流動を阻止する時は、押板端部を閉じ方向に押圧して押板を支持板に係止させると、チューブ挟圧手段によりチューブが挟圧されて流体の流動が阻止される。
【００１０】
従って、本発明のクリップによれば、チューブに装着した状態のままで使用され、チューブ挟圧手段によるチューブの挟圧は、支持板のチューブ通穴と湾曲部のチューブ通穴の間で行われるので、挟圧部の位置ずれを生じることがなく、確実に流体の流動を阻止することができる。また、チューブの挟圧操作と開放操作はワンタッチ式に簡単にできてその使用を便利にする。
【００１１】
また、本発明のクリップは、請求項３記載の発明のように、クリップ全体を剛性樹脂材等の剛性材料で一体成形し、湾曲部のチューブ通穴を横切って湾曲部に薄肉部を設け、該薄肉部に押板を開き方向に開拡する習性を付与した構成とするのが好ましい。
【００１２】
このように構成すると、チューブの挟圧を開放するのに、支持板に対する押板の係止関係が解かれると、チューブの復元弾力と、クリップの湾曲部の薄肉部に付与された押板の開き方向開拡習性が相乗的に作用し、押板は抵抗なく開き位置まで瞬時に開かれてチューブ内に流体の流動を再開させる。
【００１３】
また、本発明のクリップは、チューブに装着した状態のままで使用されるので、請求項４記載の発明のように、押板が開き位置にある状態で、支持板のチューブ通穴、湾曲部のチューブ通穴にチューブを緩挿し、該チューブを両通穴及び受板側の突起先端に弾力的に接触させ、チューブ面上を摩擦移動自在にした構成とするのが好ましい。
【００１４】
このように構成すると、チューブに対する装着位置、つまり、チューブの挟圧位置を、予め、設定できるので、取り扱い面から請求項１記載に係る発明の作用効果をより実効あるものにする。
【００１５】
本発明のクリップによるチューブの挟圧は、チューブを支持板のチューブ通穴と湾曲部のチューブ通穴に挿通して両通穴の間で行われ、位置ずれを生じることがないので、チューブ挟圧手段としては、対向的に上下から１箇所を挟圧する周知構成のクリップ同様の押え突起形態のものを適用可能とするが、請求項５記載の発明のように、チューブ挟圧手段を、受板にチューブを横切る方向に近接して設けた２つの突起と、この２つの突起に対応し、両突起間に先端を臨ませて押板に設けた突起で構成するのが好ましい。
【００１６】
このように構成すると、チューブの挟圧は、前後する２つの突起の間に反対側から１つの突起が押入する態様で行われ、チューブは側面視においてく字状に屈曲して扁平状に挟圧され、チューブの上下内面を気密的に圧着させる。
【００１７】
従って、対向的に上下から１箇所を集中的に挟圧力が作用する従来の押え突起形態のものに比べ、挟圧力がチューブ長手方向に分散されるとともに、挟圧部のチューブ内面は屈曲により接合面積が拡がるので、チューブ自体に掛かる圧力負担を軽減することができる。また、チューブの挟圧によるチューブのく字状の屈曲は、支持板のチューブ通穴と湾曲部のチューブ通穴に挿通された部分、つまり、チューブの中だけで生じるので、チューブの挟圧部の屈曲の影響がクリップ外のチューブに及ぶことはなく、チューブの挟圧及び開放に無関係にクリップ前後のチューブの直進性はほぼ一定に保たれる。
【００１８】
押板端部を支持板に係止させて押板を閉じ位置に支持するには、請求項６記載の発明のように、支持板に対応して押板端部に、支持板上半部が緩挿される支持孔を設け、該支持孔縁に係脱する係止爪を支持板上半部の前面に設けるとともに、支持板上半部の基部に、押板の閉じ位置を規制する段部を設けた構成とするのが好ましい。
【００１９】
このように構成すると、押板端部が閉じ方向に押圧されると、押板の閉動途中から支持板上半部が支持孔に入り、支持板が弾力的に後方に反って係止爪が支持孔を抜けて係止爪が押板上で支持孔縁に係止する。また、この時点では、支持板両側の段部に押板が当接して押板は閉じ位置に支持される。こうして、押板端部は支持板を介して受板に連結されるので、受板に対し押板は横ずれを生じることはなく、閉じ位置は安定する。
【００２０】
また、本発明のクリップの使用で、押板端部を閉じ方向に押圧してチューブ内の流体の流動を阻止する時は、受板端部と押板端部を２つの指の指先で摘んで操作し、また、押板端部と支持板との係止関係を解いて押板を開き、チューブを挟圧から開放してチューブ内に流体を流動させる時は、支持板上半部の端部と押板端部を２つの指の指先で摘んで操作される。そこで、請求項７記載の発明のように、支持板上半部、押板端部及び受板端部にそれぞれ摘み部を形成し、支持板上半部の摘み部は、支持板上半部の端部を前傾く字状に屈曲させてなり、押板端部の摘み部は、支持孔から押板端まで押板端部を上向きに傾斜させてなる構成とするのが好ましい。
【００２１】
このように構成すると、押板端部を閉じ方向に押圧する操作では、２つの指の指先を押板端部と受板端部に掛けて摘み操作するが、これには、一方の指の指先、例えば、人差し指の指先は、斜め上向きに傾斜する押板端部の上面にこの押板端を越えて掛けられるので操作がし易くなる。また、支持板に対する押板の係止関係を解く操作では、２つの指の指先を支持板上半部の端部と押板端部に掛けて摘み操作するが、これには、一方の指の指先、例えば、親指の指先をチューブ上で押板端部に掛け、他方の指の指先、例えば、人差し指の指先は、前傾く字状に屈曲させた支持板上半部の端部に掛けられるので操作がし易くなる。
【００２２】
また、押板が開き位置にある状態では、押板端部は支持板上半部の端部よりも上方に離されるが、この支持板上半部の端部を、押板端部の支持孔の回動軌跡に臨まることにより、押板端部を閉じ方向に押圧する際に、前傾く字状に屈曲させた支持板上半部の端部の外面が支持板上半部を支持孔内に挿入するガイド面として機能し、支持板上半部を確実に支持孔内に挿入することができる。
【００２３】
【発明の実施の形態】
以下、本発明の実施の形態を図面に基づいて説明する。
【００２４】
図１は本発明の実施の形態を示すチューブクリップの斜視図、図２は本発明の実施の形態を示すチューブクリップの縦中央断面図、図３は本発明の実施の形態を示すチューブクリップの平面図、図４は使用態様を示す要部の断面図である。
【００２５】
各図において、受板１と押板２を湾曲部３を介して一体に形成している。受板１の端寄りのところで受板１上に板面を横切る方向に支持板４を立設し、この支持板４と前記湾曲部３に、それぞれチューブＡが緩挿されるチューブ通穴５，６を設けている。
【００２６】
支持板４と湾曲部３との間にあって、受板１と押板２が相互に対向する部分に、
チューブを挟圧するチューブ挟圧手段７を設けている。このチューブ挟圧手段７として、実施の形態のものは、受板１に板面を横切る方向に近接して設けた２つの突起７ａ，７ｂと、この２つの突起７ａ，７ｂに対応し、両突起７ａ，７ｂの間に先端を臨ませて押板２に設けた突起７ｃで構成している。
【００２７】
前記支持板４の上半部４ａは、チューブ通穴５を有する下半部に比べて横幅を若干小さくしており、この支持板上半部４ａに対応して押板２に支持板上半部４ａが緩挿される支持孔８を設け、この支持孔８縁に係脱する係止爪９を支持板上半部４ａの前面（湾曲部に向けられる面）に設け、また、支持板上半部４ａの基部両側には、押板２の閉じ位置を規制する段部１０を設けている。
【００２８】
支持板上半部４ａの端部４ｂ、押板端部２ａ及び受板端部１ａは、それぞれ摘み部として使用されるもので、このために、支持板上半部４ａの端部４ｂは、前傾く字状に屈曲させ、押板端部２ａは、支持孔から押板端までを斜め上向きに傾斜させ、受板端部１ａは受板１を延長状にして摘み部としている。
【００２９】
また、前記押板端部２ａでは、支持孔８付近の押板２としての剛性を高めるために、実施の形態では、押板端部２ａ両側に押板端まで補強板１１を設け、両補強板１１の中間部内側に支持孔８が位置するようにしている。
【００３０】
実施の形態におけるクリップは、全体を合成樹脂材等の剛性材料で一体成形し、湾曲部３のチューブ通穴６を横切って湾曲部３に薄肉部１２を設け、この薄肉部１２に押板２を開き方向に開拡する習性を付与し、押板２が支持板４との係止関係から開放されている状態で、押板端部２ａは支持板上半部４ａの端部４ｂからも離れて自然に開き位置にあるようにしている。
【００３１】
押板２が開き位置にある状態で、支持板４のチューブ通穴５と湾曲部３のチューブ通穴６にチューブＡを挿通してクリップをチューブＡに装着する。この状態では、両方のチューブ通穴５，６面と受板１の突起７ａ，７ｂ先端がチューブＡに大きな変形を伴わずして弾力的に当接し、クリップはチューブＡ上を摩擦移動自在にしている。
【００３２】
上記構成において、押板２が支持板４から上方に離れ、押板２が開き位置にある状態では、チューブＡはほぼ直状になってチューブＡ内を流体が流動する。
【００３３】
チューブＡ内の流体の流動を阻止する時は、受板端部１ａと押板端部２ａを２つの指の指先で摘み操作して押板２を閉じ方向に押圧する。この時に支持板上半部４ａが支持孔８内に入り、係止爪９が支持孔８を通過する段階で支持板４が弾力的に後方に反って係止爪９は支持孔８を抜けて支持孔８縁に係止する。また、この時点で押板２は支持板４の段部１０に当接して押板２の閉じ位置が規制されて安定する。また、ここで、前傾く字状に屈曲させた支持板上半部４ａの端部４ｂ外面は、押板２が閉動中に、支持板上半部４ａを支持孔８内に挿入するガイド面として機能し、支持板上半部４ａを確実に支持孔８内に入れることができる。
【００３４】
こうして、押板２が閉じられてチューブＡの挟圧は、前後する受板１側の２つの突起７ａ，７ｂの間に押板２側の突起７ｃが押入する態様で行われ、チューブＡは側面視においてく字状に屈曲して扁平状に挟圧されてチューブＡ内の流体の流動が阻止される。この際、位置を違えて上下３つの突起７ａ，７ｂ，７ｃによるチューブＡの屈曲は、支持板４のチューブ通穴５と湾曲部３のチューブ通穴６に挿通された中で生じるので、チューブＡの挟圧部の屈曲の影響がクリップ外のチューブＡに及ぶことはなく、チューブＡの挟圧及び開放に無関係にクリップ前後のチューブＡの直進性はほぼ一定に保たれる。（図４参照）
次ぎに、チューブＡ内の流体の流動を再開する時は、２つの指の指先を、前傾く字状に屈曲させた支持板上半部４ａの端部４ｂと、チューブＡ上で斜め上向きに傾斜状に立ち上がる押板端部２ａに掛けて摘み操作すると、係止爪９が支持孔８縁から外れ、チューブＡの復元弾力とクリップの湾曲部３の薄肉部１２に付与された押板２の開き方向開拡習性が相乗的に作用し、押板２は抵抗なく瞬時に開かれてチューブＡ内の流体の流動を再開する。
【００３５】
【発明の効果】
本発明は、以上説明したような形態で実施され、本発明によれば、クリップをチューブに装着したままで使用され、２つの指の指先による摘み操作でチューブの挟圧と開放がワンタッチ式に確実にできるので、その使用を便利にする。また、予め、チューブ上におけるクリップの装着位置を任意に設定できるので、この面からも取り扱いが便利になる。さらに、クリップをチューブに装着した状態で、チューブの両側への突出量は小さくなるので、チューブに装着したままでもクリップの存在が邪魔にならない。
【００３６】
また、チューブ挟圧手段として、位置を違えて上下３つの突起でチューブを押さえ付け、側面視においてチューブをく字状に屈曲して扁平状に挟圧する手段を採用すると、挟圧部のチューブ内面の接合面積が拡がり、チューブ自体に掛かる圧力負担を軽減することができる。また、この際のチューブの屈曲は、支持板のチューブ通穴と湾曲部のチューブ通穴に挿通された部分で生じるので、チューブの挟圧及び開放に無関係にクリップ前後のチューブの直進性はほぼ一定に保たれて、この面からも使用を便利にする。
【図面の簡単な説明】
【図１】本発明の実施の形態を示すチューブクリップの斜視図である。
【図２】本発明の実施の形態を示すチューブクリップの縦中央断面図である。
【図３】本発明の実施の形態を示すチューブクリップの平面図である。
【図４】本発明の使用態様を示す要部の断面図である。
【符号の説明】
１  受板
１ａ  受板端部
２  押板
２ａ  押板端部
３  湾曲部
４  支持板
４ａ  支持板上半部
４ｂ  支持板上半部の端部
５  チューブ通穴
６  チューブ通穴
７  チューブ挟圧手段
７ａ  突起
７ｂ  突起
７ｃ  突起
８  支持孔
９  係止爪
１０  段部
１１  補強板
１２  薄肉部
Ａ  チューブ
【図１】
0004335983.tif 000002
【図２】
0004335983.tif 000003
【図３】
0004335983.tif 000004
【図４】
0004335983.tif 000005